(57)【要約】【課題】ユーザの手間をかけずに、ユーザの所望する複写物を得ることが可能な画像形成装置を提供することを目的とする。【解決手段】本発明の画像形成装置は、原稿の原稿データを読み取る原稿読取部２００と、原稿読取部２００で読み取られた原稿データを記憶する記憶手段６００と、原稿データを印刷するための印刷部４００と、印刷すべき原稿データの検索条件を指定する操作パネル３００と、原稿データが検索条件に該当するか否かを判断し、検索条件に該当すると判断された原稿データのみを印刷部４００で印刷させる制御部７００とを備えている。【選択図】        図１
2006086646.tif 000002
【特許請求の範囲】
【請求項１】
原稿の原稿データを読み取る原稿読取手段と、
前記原稿読取手段で読み取られた原稿データを記憶する記憶手段と、
原稿データを印刷するための印刷手段と、
印刷すべき原稿データの検索条件を指定する検索条件指定手段と、
前記原稿データが検索条件に該当するか否かを判断する検索手段と、
前記検索手段で検索条件に該当すると判断された原稿データのみを前記印刷手段で印刷させる複写制御手段と、
を備えたことを特徴とする画像形成装置。
【請求項２】
原稿の原稿データを読み取る原稿読取手段と、
前記原稿読取手段で読み取られた原稿データを記憶する記憶手段と、
原稿データを印刷するための印刷手段と、
印刷すべき原稿データの検索条件を指定する検索条件指定手段と、
前記原稿データが検索条件に該当するか否かを判断する検索手段と、
原稿データに識別マークを合成するための画像合成手段と、
前記検索条件に該当する原稿データについては、前記画像合成手段に識別マークを合成させた後に前記印刷手段で印刷させる一方、前記検索条件に該当しない原稿データはそのまま前記印刷手段に印刷させる複写制御手段と、
を備えたことを特徴とする画像形成装置。
【請求項３】
原稿の原稿データを読み取る原稿読取手段と、
前記原稿読取手段で読み取られた原稿データを記憶する記憶手段と、
原稿データを印刷するための印刷手段と、
印刷すべき原稿データの検索条件を指定する検索条件指定手段と、
前記原稿データが検索条件に該当するか否かを判断する検索手段と、
原稿データに識別マークを合成するための画像合成手段と、
前記検索条件に該当する原稿データのみを印刷出力する第１のモード、または、前記検索条件に該当する原稿データに識別マークを合成して印刷出力し、前記検索条件に該当しない原稿データをそのまま印刷出力する第２のモードを指定する印刷モード指定手段と、
前記第１のモードが選択された場合には、前記検索手段で検索条件に該当すると判断された原稿データのみを前記印刷手段で印刷させ、また、前記第２のモードが選択された場合には、前記検索条件に該当する原稿データについては識別マークを合成した後に前記印刷手段で印刷させる一方、前記検索条件に該当しない原稿データはそのまま前記印刷手段に印刷させる複写制御手段と、
を備えたことを特徴とする画像形成装置。
【請求項４】
前記検索条件は、原稿のページ番号および／または原稿中のキーワードであることを特徴とする請求項１〜請求項３のいずれか１つに記載の画像形成装置。
【請求項５】
複数枚の原稿を前記原稿読取手段の原稿読取位置にページ単位で搬送する自動原稿搬送手段を備えたことを特徴とする請求項１〜請求項４のいずれか１つに記載の画像形成装置。
【発明の詳細な説明】
【技術分野】
【０００１】
本発明は、画像形成装置に関し、詳細には、検索条件に該当するページを印刷出力することが可能な画像形成装置に関する。
【背景技術】
【０００２】
ファイリングシステムでは、所望の検索条件に該当する文書画像を検索して印刷出力する技術が知られている（特許文献１、特許文献２参照）。これに対して、複写機等の画像形成装置では、原稿の１部をコピーしたい場合には、ユーザが、その原稿の中から目的のページを抜き出して、画像形成装置でコピーを行う必要がある。例えば、抜き出すページが１ページの場合にはあまり手間にならないが、抜き出すページが散らばっており、抜き出す枚数も異なる場合は、抜き出すページを１ページずつ原稿から探し出し、さらに、目的のページを元に戻せるように、原稿の戻す位置に記をつけたり、開いておく必要がある。そして、ユーザは、抜き出したページのコピーが終了すると、抜き出したページを元に戻す塊分づつ、元の原稿の位置を確認しながら戻す必要がある。このように、画像形成装置では、原稿の中から所望のページのみをコピーしたい場合に、ユーザの手間が煩雑になるという問題がある。
【０００３】
また、ページ数や章など、抜き出す位置がはっきりしていてる場合はまだよいが、特定のキーワードがでてくるページをコピーしたい場合には、ユーザがある程度原稿の中身を読んで特定しなければならず、また、後で詳しく読んでみたら、他のページにもそのキーワードが入った重要なページがあるなどの抜けや漏れが生じる場合がある。
【０００４】
さらに、原稿はとりあえず全てコピーが欲しいが、ある特定のページのみ判別できるようにしたい場合もある。この場合は、ユーザは、全て原稿をコピーした後、原稿の判別したいページを特定し、同じようにコピーした紙文書のページを開き、ポストイットやペンで印をつける必要がある。
【０００５】
【特許文献１】特開平０６−３４２４８３号公報
【特許文献２】特開平１０−９７５３７号公報
【発明の開示】
【発明が解決しようとする課題】
【０００６】
本発明は、上記に鑑みてなされたものであり、ユーザの手間をかけずに、ユーザの所望する複写物を得ることが可能な画像形成装置を提供することを目的とする。
【課題を解決するための手段】
【０００７】
上述した課題を解決し、目的を達成するために、本発明は、原稿の原稿データを読み取る原稿読取手段と、前記原稿読取手段で読み取られた原稿データを記憶する記憶手段と、原稿データを印刷するための印刷手段と、印刷すべき原稿データの検索条件を指定する検索条件指定手段と、前記原稿データが検索条件に該当するか否かを判断する検索手段と、前記検索手段で検索条件に該当すると判断された原稿データのみを前記印刷手段で印刷させる複写制御手段と、を備えたことを特徴とする。
【０００８】
これにより、検索条件指定手段で指定された検索条件に該当する原稿データのみを印刷出力することができ、ユーザの手間をかけずに、原稿の所望のページを複写することが可能となり、ユーザの手間をかけずに、ユーザの所望する複写物を得ることが可能な画像形成装置を提供することができる。
【０００９】
上述した課題を解決し、目的を達成するために、本発明は、原稿の原稿データを読み取る原稿読取手段と、前記原稿読取手段で読み取られた原稿データを記憶する記憶手段と、原稿データを印刷するための印刷手段と、印刷すべき原稿データの検索条件を指定する検索条件指定手段と、前記原稿データが検索条件に該当するか否かを判断する検索手段と、原稿データに識別マークを合成するための画像合成手段と、前記検索条件に該当する原稿データについては、前記画像合成手段に識別マークを合成させた後に前記印刷手段で印刷させる一方、前記検索条件に該当しない原稿データはそのまま前記印刷手段に印刷させる複写制御手段と、を備えたことを特徴とする。
【００１０】
これにより、検索条件指定手段で指定された検索条件に該当する原稿データに識別マークを合成して印刷出力することができ、ユーザの手間をかけずに、原稿の所望のページを判別可能な複写物をユーザに提供することが可能となり、ユーザの手間をかけずに、ユーザの所望する複写物を得ることが可能な画像形成装置を提供することができる。
【００１１】
上述した課題を解決し、目的を達成するために、本発明は、原稿の原稿データを読み取る原稿読取手段と、前記原稿読取手段で読み取られた原稿データを記憶する記憶手段と、原稿データを印刷するための印刷手段と、印刷すべき原稿データの検索条件を指定する検索条件指定手段と、前記原稿データが検索条件に該当するか否かを判断する検索手段と、原稿データに識別マークを合成するための画像合成手段と、前記検索条件に該当する原稿データのみを印刷出力する第１のモード、または、前記検索条件に該当する原稿データに識別マークを合成して印刷出力し、前記検索条件に該当しない原稿データをそのまま印刷出力する第２のモードを指定する印刷モード指定手段と、前記第１のモードが選択された場合には、前記検索手段で検索条件に該当すると判断された原稿データのみを前記印刷手段で印刷させ、また、前記第２のモードが選択された場合には、前記検索条件に該当する原稿データについては識別マークを合成した後に前記印刷手段で印刷させる一方、前記検索条件に該当しない原稿データはそのまま前記印刷手段に印刷させる複写制御手段と、を備えたことを特徴とする。
【００１２】
これにより、検索条件指定手段で指定された検索条件に該当する原稿データを印刷出力する場合に、前記検索条件に該当する原稿データのみを印刷出力する第１のモード、または、前記検索条件に該当する原稿データに識別マークを合成して印刷出力し、前記検索条件に該当しない原稿データをそのまま印刷出力する第２のモードとをユーザが選択することができ、ユーザの手間をかけずに、原稿の所望のページを複写することが可能となり、また、ユーザの手間をかけずに、原稿の所望のページを判別可能な複写物をユーザに提供することが可能となり、ユーザの手間をかけずに、ユーザの所望する複写物を得ることが可能な画像形成装置を提供することができる。
【００１３】
また、本発明の好ましい態様によれば、前記検索条件は、原稿のページ番号および／または原稿中のキーワードであることが望ましい。これにより、ユーザは、所望のページ番号および／またはキーワードが含まれている原稿の複写物を得ることができる。
【００１４】
また、本発明の好ましい態様によれば、複数枚の原稿を前記原稿読取手段の原稿読取位置にページ単位で搬送する自動原稿搬送手段を備えたことが望ましい。これにより、自動原稿搬送手段に原稿束をセットするだけで、ユーザは所望の複写物を得ることができる。
【発明の効果】
【００１５】
本発明によれば、検索条件指定手段で指定された検索条件に該当する原稿データのみを印刷出力、または検索条件指定手段で指定された検索条件に該当する原稿データに識別マークを合成して印刷出力することができ、ユーザの手間をかけずに、ユーザの所望する複写物を得ることが可能な画像形成装置を提供することが可能となるという効果を奏する。
【発明を実施するための最良の形態】
【００１６】
以下、この発明に係る画像形成装置について、図面を参照しつつ詳細に説明する。なお、下記実施の形態によりこの発明が限定されるものではない。また、下記実施の形態における構成要素には、当業者が容易に想定できるものまたは実質的に同一のものが含まれる。
【００１７】
（実施の形態１）
図１は、実施の形態１に係る画像形成装置１の概略のハードウエア構成を示すブロック図である。画像形成装置１は、図１に示すように、ＡＤＦ１００、原稿読取部２００、操作パネル３００、印刷部４００、フィニッシャ５００、記憶手段６００、および制御部７００を備えている。
【００１８】
ＡＤＦ１００（自動原稿送り装置）は、原稿を原稿読取部２００の原稿読取位置に１枚づつ搬送する。原稿読取部２００は、原稿の原稿データを読み取るためのものであり、原稿を光学的に読み取った後、電気信号に変換し、さらに、Ａ／Ｄ変換を行ってデジタルの原稿データを生成する。操作パネル３００は、操作者が画像形成装置１の動作内容の設定や動作指示を与えるためのものである。記憶手段６００は、原稿読取部１０１によって読み取られた原稿データを１ページ分記憶するためのメモリであり、例えば、ＤＲＡＭで構成することができる。印刷部４００は、記憶手段６００に保持された原稿データを転写紙に印刷出力する。
【００１９】
制御部７００は、装置全体の動作を司るものであり、例えば、画像形成装置１の制御プログラムを記憶するＲＯＭ（Ｒｅａｄ Ｏｎｌｙ Ｍｅｍｏｌｙ）や、一時的にデータを保管するＲＡＭ（Ｒａｎｄｏｍ Ａｃｃｅｓｓ Ｍｅｍｏｒｙ）、および制御プログラムをＲＯＭから読み出して実行するマイクロコンピュータ等から構成される。制御部７００は、複写動作を制御するためのプログラムを実行することにより複写制御手段として機能する。この場合、操作パネル３００によって受付けられた指示入力に応じて、ＡＤＦ１００、原稿読取部２００、操作パネル３００、印刷部４００、フィニッシャ５００、および記憶手段６００の各部の動作を制御するための制御信号を出力することにより、画像形成装置１に所定の複写動作を行わせる。また、制御部７００は、原稿データが操作パネル３００でユーザにより指定された検索条件に該当するか否かを判断する検索手段として機能する。
【００２０】
図２は、画像形成装置１の概略のメカ構成を示す断面図である。ＡＤＦ１００では、原稿台１０１に原稿の画像面を上にして置かれた原稿束は、操作パネル３００上のスタートキーが押下されると、一番上の原稿から給送ローラ１０２、および給送ベルト１０３によって、原稿原稿読取部２００のコンタクトガラス２０１上の所定の原稿読取位置に給送される。原稿原稿読取部２００でコンタクトガラス２０１上の原稿の原稿データが読み取られた後、読み取りが終了した原稿は、給送ベルト１０３および排送ローラ１０４によって排出される。さらに、原稿セット検知センサ１０５にて原稿台１０１に次の原稿が有ることを検知した場合、前原稿と同様にコンタクトガラス２０１上に給送される。給送ローラ１０２、給送ベルト１０３、および排送ローラ１０５は不図示の搬送モータによって駆動される。
【００２１】
原稿原稿読取部２００は、原稿を載置するコンタクトガラス２０１と光学走査系で構成されており、光学走査系は、露光ランプ２０２、第１ミラー２０３、第２ミラー２０４、第３ミラー２０５、結像レンズ２０６、ＣＣＤイメージセンサ２０７等で構成されている。露光ランプ２０２および第１ミラー２０３は、不図示の第１キャリッジ上に固定され、第２ミラー２０４および第３ミラー２０５は、不図示の第２キャリッジ上に固定されている。原稿を読み取るときには、光路長が変わらないように、第１キャリッジと第２キャリッジとが２対１の相対速度で機械的に走査される。この光学走査系は、図示しないスキャナ駆動モータにより駆動される。原稿の画像データは、ＣＣＤイメージセンサ２０７によって読み取られ、電気信号に変換された後に処理される。
【００２２】
印刷部４００は、レーザ出力ユニット４２１、結像レンズ４２２、ミラー４２３を備えており、レーザ出力ユニット４２１の内部には、レーザ光源であるレーザダイオードおよびモータによって高速で定速回転する多角形ミラー（ポリゴンミラー）が設けられている。レーザ出力ユニット４２１から出力されるレーザ光が、結像レンズ４２２、およびミラー４２３を介して感光体４０１照射される。感光体４０１の一端近傍のレーザビームを照射される位置には、主走査同期信号を発生するビームセンサ（不図示）が配置されている。
【００２３】
第１トレイ４０２、第２トレイ４０３、第３トレイ４０４に積載された転写紙は、各々第１給紙装置４０５、第２給紙装置４０６、第３給紙装置４０７によって給紙され、縦搬送ユニット４０８によって感光体４０１に当接する位置まで搬送される。上述したように、原稿読取部２００で読み取られた原稿データは、レーザー出力ユニット４２１からのレーザーによって感光体４０１に書き込まれ、現像ユニット４０８を通過することによってトナー像が形成される。そして、転写紙は感光体４０１の回転と等速で搬送ベルト４０９によって搬送されながら、感光体４０１上のトナー像が転写される。その後、定着ユニット４１０にて画像を定着させ、排紙ユニット４１１によって後処理装置であるフィニシャ５００に排出される。
【００２４】
フィニシャ５００は、通常使用されるスタッカトレイ５０１の方向と、第二排紙トレイ５０２の方向とに導くことができる。切り替え板５０３を上に切り替える事により、搬送ローラ５０４、５０５を経由してスタッカトレイ５０１側に排紙することができる。また、切り替え板５０３を下方向に切り替えることで、搬送ローラ５０６、５０７を経由して、第二排紙トレイ５０２に搬送することができる。第二排紙トレイ５０２には転写紙の落下防止用に落下ストッパ５０８が設けられており、さらに、フィニッシャ５００の下部には落下トレイ５０９が設けられている。
【００２５】
転写紙の両面に画像を作像する場合は、各給紙トレイ４０２〜４０４から給紙され作像された転写紙をスタッカトレイ５０１側に導かないで、経路切り替えのための分岐爪１１２を上側にセットすることで、一旦、両面給紙ユニット４１３にストックする。
【００２６】
その後、両面給紙ユニット４１３にストックされた転写紙は再び感光体４０１に作像されたトナー画像を転写するために、両面給紙ユニット４１３から再給紙され、経路切り替えの為の分岐爪４１２を下側にセットし、スタッカトレイ５０１に導く。このように、転写紙の両面に画像を作成する場合に両面給紙ユニット４１３が使用される。
【００２７】
感光体４０１、搬送ベルト４０９、定着ユニット４１０、排紙ユニット４１１、現像ユニット４０８は、制御部７００の制御によって不図示の駆動機構により駆動される。
【００２８】
図３は、操作パネル３００の構成を示す図である。操作パネル３００は、液晶タッチパネル表示部３０１、テンキー３０２、クリア／ストップキー３０３、スタートキー３０４、予熱キー３０５、リセットキー３０６、初期設定キー３０８、検索キー３０９等を備えている。液晶タッチパネル表示部３０１は、液晶ディスプレイの表面にタッチパネルを備えており、機能キーや部数、機械の状態を示すメッセージ等を表示することができる。検索キー３０９は、液晶タッチパネル表示部３０１に、検索条件設定画面を表示するためのキーである。検索キー３０９が押下されると、液晶タッチパネル表示部３０１に検索条件設定画面が表示され、ユーザによる検索条件の設定が可能となる。
【００２９】
図４は、液晶タッチパネル表示部３０１に表示される検索条件設定画面３２０の一例を示す図である。図４において、３２１はページ指定を「ＯＮ」に設定するキー、３２２はページ指定を「ＯＦＦ」に設定するキー、３２３はページ番号を設定する指定ページ設定欄、３２４はキーワード指定を「ＯＮ」に設定するキー、３２５はキーワードの指定を「ＯＦＦ」に設定するキー、３２６はキーワードを設定するキーワード設定欄を示している。同図に示す例では、ページ指定が「ＯＮ」に設定されており、ページ番号として、「Ｐ２、Ｐ５−７、Ｐ９」が指定されている。なお、キーワードを複数設定して、さらに、ＡＮＤ条件、ＯＲ条件の指定を可能な構成としても良い。ページ番号のみを指定した場合には、指定されたページ番号に該当する原稿のみを印刷出力し、キーワードのみを指定した場合には、指定されたキーワードを含む原稿のみを印刷出力する。コピーするページ番号の指定およびキーワードの両方を設定した場合には、指定したページ番号で、かつ、キーワードを含む原稿が印刷出力される。
【００３０】
図５は、画像形成装置１の制御部７００の複写動作の制御を説明するためのフローチャートである。図５において、操作パネル３００のスタートキー３０４が押下されると（ステップＳ１の「Ｙｅｓ」）、まず、ページカウンタＴを「０」に初期化する（ステップＳ２）。そして、原稿読取部２００に原稿の原稿データを１ページ分読み取る動作を実行させ、原稿読取部２００が１ページ分の原稿データを読み取ったか否かを判断し（ステップＳ３）、原稿の原稿データを読み取れなかった場合は（ステップＳ３の「Ｎｏ」）、読取るべき原稿が終了したものと判断して複写動作を終了する。
【００３１】
他方、原稿の原稿データを読み取れた場合は（ステップＳ３の「Ｙｅｓ」）、読取った１ページ分の原稿データを記憶手段６００に記憶し（ステップＳ４）、ページカウンタＴを１つカウントＵＰする（ステップＳ５）。そして、検索条件が指定されているか否かを判断する（ステップＳ６）。
【００３２】
検索条件が指定されていない場合には（ステップＳ６の「Ｎｏ」）、印刷部４００に、記憶手段６００に保持している１ページ分の原稿データを印刷させた後（ステップＳ１１）、記憶手段６００に保持している１ページ分の原稿データを消去して（ステップＳ１２）、ステップＳ３に戻り、次の原稿の読み取り処理を行う。
【００３３】
検索条件がページ指定である場合には（ステップＳ６の「ページ指定」）、指定ページ＝ページカウンタＴであるか否かを判断し（ステップＳ７）、指定ページ＝ページカウンタＴである場合には（ステップＳ７の「Ｙｅｓ」）、印刷部４００に、記憶手段６００に保持している１ページ分の原稿データを印刷させた後にステップＳ１２に移行する一方、指定ページ＝ページカウンタＴでない場合には（ステップＳ７の「Ｎｏ」）、印刷を行わないでステップＳ１２に移行する。ステップＳ１２では、記憶手段６００に保持している１ページ分の原稿データを消去した後、ステップＳ３に戻り、次の原稿の読み取り処理を行う。
【００３４】
検索条件がキーワード指定である場合には（ステップＳ６の「キーワード指定」）、記憶手段６００に保持している原稿データ中に、指定されたキーワードが含まれているか否かを判断し（ステップＳ８）、指定されたキーワードが含まれている場合には（ステップＳ８の「Ｙｅｓ」）、印刷部４００に、記憶手段６００に保持している１ページ分の原稿データを印刷させた後にステップＳ１２に移行する一方、指定されたキーワードが含まれている場合には（ステップＳ８の「Ｎｏ」）、印刷を行わないでステップＳ１２に移行する。ステップＳ１２では、記憶手段６００に保持している１ページ分の原稿データを消去した後、ステップＳ３に戻り、次の原稿の読み取り処理を行う。
【００３５】
検索条件がページ＆キーワード指定である場合には（ステップＳ６の「ページ＆キーワード指定ページ指定」）、指定ページ＝ページカウンタＴであるか否かを判断し（ステップＳ７）、指定ページ＝ページカウンタＴである場合には（ステップＳ９の「Ｙｅｓ」）、記憶手段６００に保持している原稿データ中に、指定されたキーワードが含まれているか否かを判断し（ステップＳ１０）、指定されたキーワードが含まれている場合には（ステップＳ１０の「Ｙｅｓ」）、印刷部４００に、記憶手段６００に保持している１ページ分の原稿データを印刷させた後にステップＳ１２に移行する。指定ページ＝ページカウンタＴでない場合（ステップＳ９「Ｎｏ」）および指定されたキーワードが含まれていない場合は（ステップＳ１０の「Ｎｏ」）、印刷を行わないでステップＳ１２に移行する。ステップＳ１２では、記憶手段６００に保持している１ページ分の原稿データを消去した後、ステップＳ３に戻り、次の原稿の読み取り処理を行う。
【００３６】
図６は、検索条件として「ページ指定」が選択され、Ｐ２、Ｐ５−７、Ｐ９がページ指定された場合の複写動作を説明するための概念図である。図７は、検索条件として「キーワード指定」が選択され、要求分析がキーワード指定された場合の複写動作を説明するための概念図である。
【００３７】
実施の形態１によれば、操作パネル３００で指定された検索条件に該当する原稿データのみを印刷出力することができ、ユーザの手間をかけずに、原稿の所望のページを複写することが可能となる。
【００３８】
（実施の形態２）
上記実施の形態１に係る画像形成装置１は、検索条件に該当する原稿データのみを印刷する構成である。これに対して、実施の形態２に係る画像形成装置１は、検索条件に該当する原稿データに識別マークを合成して印刷し、検索条件に該当しない原稿データをそのまま印刷出力する構成である。
【００３９】
図８は、実施の形態２に係る画像形成装置１の概略のハードウエア構成を示すブロック図である。図８において、図１に示す実施の形態１の画像形成装置１と同等機能を有する部位には同一符号を付してその説明は省略し、異なる部分についてのみ説明する。実施の形態２に係る画像形成装置１は、図８に示すように、図１に示す実施の形態１の画像形成装置１に、記憶手段６００に保持している１ページ分の原稿データに識別マークを合成する印字合成部８００を追加したものである。
【００４０】
図９は、制御部７００の複写動作の制御を説明するためのフローチャートである。図９において、図５と同一の処理を行うステップには、同一のステップ番号を付してその説明を省略し、異なる処理についてのみ説明する。
【００４１】
図９において、検索条件がページ指定である場合には（ステップＳ６の「ページ指定」）、指定ページ＝ページカウンタＴであるか否かを判断し（ステップＳ７）、指定ページ＝ページカウンタＴである場合には（ステップＳ７の「Ｙｅｓ」）、印字合成部８００に、記憶手段６００に保持している１ページ分の原稿データに識別マークを合成させた後（ステップＳ２１）、ステップＳ２２に移行する。他方、指定ページ＝ページカウンタＴでない場合には（ステップＳ７の「Ｎｏ」）、識別マークの合成を行わないでステップＳ２２に移行する。
【００４２】
検索条件がキーワード指定である場合には（ステップＳ６の「キーワード指定」）、記憶手段６００に保持している原稿データ中に、指定されたキーワードが含まれているか否かを判断し（ステップＳ８）、指定されたキーワードが含まれている場合には（ステップＳ８の「Ｙｅｓ」）、印字合成部８００に、記憶手段６００に保持している１ページ分の原稿データに識別マークを合成させた後（ステップＳ２１）、ステップＳ２２に移行する。他方、指定されたキーワードが含まれていない場合には（ステップＳ８の「Ｎｏ」）、識別マークの合成を行わないでステップＳ２２に移行する。
【００４３】
検索条件がページ＆キーワード指定である場合には（ステップＳ６の「ページ＆キーワード指定ページ指定」）、指定ページ＝ページカウンタＴであるか否かを判断し（ステップＳ７）、指定ページ＝ページカウンタＴである場合には（ステップＳ９の「Ｙｅｓ」）、記憶手段６００に保持している原稿データ中に、指定されたキーワードが含まれているか否かを判断し（ステップＳ１０）、指定されたキーワードが含まれている場合には（ステップＳ１０の「Ｙｅｓ」）、印字合成部８００に、記憶手段６００に保持している１ページ分の原稿データに識別マークを合成させた後（ステップＳ２１）、ステップＳ２２に移行する。指定ページ＝ページカウンタＴでない場合（ステップＳ９「Ｎｏ」）および指定されたキーワードが含まれていない場合は（ステップＳ１０の「Ｎｏ」）、識別マークの合成を行わないでステップＳ２２に移行する。
【００４４】
ステップＳ２２では、印刷部４００に、記憶手段６００に保持している１ページ分の原稿データを印刷させ、この後、記憶手段６００に保持している１ページ分の原稿データを消去した後（ステップＳ２３）、ステップＳ３に戻り、次の原稿の読み取り処理を行う。
【００４５】
図１０は、検索条件として「ページ指定」が選択され、Ｐ２、Ｐ５−７、Ｐ９がページ指定された場合の複写動作を説明するための概念図である。図１１は、検索条件として「キーワード指定」が選択され、「要求分析」がキーワード指定された場合の複写動作を説明するための概念図である。
【００４６】
実施の形態２によれば、操作パネル３００で指定された検索条件に該当する原稿データに識別マークを合成して印刷出力することができ、ユーザの手間をかけずに、原稿の所望のページを判別可能な複写物をユーザに提供することが可能となる。
【００４７】
（実施の形態３）
実施の形態３に係る画像形成装置は、検索条件に該当する原稿データのみを印刷出力する第１のモードと、検索条件に該当する原稿データに識別マークを合成して印刷出力し、検索条件に該当しない原稿データをそのまま印刷出力する第２のモードを指定可能な構成としたものである。実施の形態３に係る画像形成装置１のハードウエア構成は、実施の形態２に係る画像形成装置１と同様である。
【００４８】
図１２は、実施の形態３に係る検索条件設定画面３２０の一例を示している。検索条件設定画面３２０では、出力条件の指定が可能となっており、検索条件に該当する原稿データのみを印刷出力する第１のモードと、検索条件に該当する原稿データに識別マークを合成して印刷出力し、検索条件に該当しない原稿データをそのまま印刷出力する第２のモードの選択が可能となっている。同図において、３５１は、第１のモード（該当ページを印字）を選択するためのキー、３５２は第２のモード（該当ページにマーク）を選択するためのキーである。同図に示す例では、第１のモード（該当ページを印字）が選択されている。
【００４９】
制御部７００は、第１のモードが設定された場合には、検索条件（ページ指定ＡＮＤ／ＯＲキーワード指定）に該当する原稿データのみを印刷出力する。また、制御部７００は、第２のモードが設定された場合には、検索条件（ページ指定ＡＮＤ／ＯＲキーワード指定）に該当する原稿データに識別マークを合成して印刷出力し、検索条件（ページ指定ＡＮＤ／ＯＲキーワード指定）に該当しない原稿データをそのまま印刷出力する。
【００５０】
実施の形態３によれば、操作パネル３００で指定された検索条件に該当する原稿データを印刷出力する場合に、検索条件に該当する原稿データのみを印刷出力する第１のモードと、検索条件に該当する原稿データに識別マークを合成して印刷出力し、検索条件に該当しない原稿データをそのまま印刷出力する第２のモードとをユーザが選択することができ、ユーザの手間をかけずに、原稿の所望のページを複写することが可能となり、また、ユーザの手間をかけずに、原稿の所望のページを判別可能な複写物をユーザに提供することが可能となる。
【産業上の利用可能性】
【００５１】
以上のように、本発明に係る画像形成装置は、検索条件に該当するページを印刷出力する場合に有用であり、例えば、複写機やデジタル複合機等の画像形成装置に広く利用可能である。
【図面の簡単な説明】
【００５２】
【図１】実施の形態１に係る画像形成装置の概略のハードウエア構成を示すブロック図である。
【図２】画像形成装置の概略のメカ構成を示す断面図である。
【図３】操作パネルの構成を示す図である。
【図４】検索条件設定画面の一例を示す図である。
【図５】制御部の複写動作の制御を説明するためのフローチャートである。
【図６】検索条件として「ページ指定」が選択され、Ｐ２、Ｐ５−７、Ｐ９がページ指定された場合の複写動作を説明するための概念図である。
【図７】検索条件として「キーワード指定」が選択され、要求分析がキーワード指定された場合の複写動作を説明するための概念図である。
【図８】実施の形態２に係る画像形成装置の概略のハードウエア構成を示すブロック図である。
【図９】実施の形態２に係る制御部の複写動作の制御を説明するためのフローチャートである。
【図１０】検索条件として「ページ指定」が選択され、Ｐ２、Ｐ５−７、Ｐ９がページ指定された場合の複写動作を説明するための概念図である。
【図１１】検索条件として「キーワード指定」が選択され、要求分析がキーワード指定された場合の複写動作を説明するための概念図である。
【図１２】実施の形態３に係る検索条件設定画面の一例を示す図である。
【符号の説明】
【００５３】
１  画像形成装置
１００  ＡＤＦ
２００  原稿読取部
３００  操作パネル
３０１  液晶タッチパネル表示部
３０９  検索キー
３２０  検索条件設定画面
４００  印刷部
５００  フィニッシャ
６００  記憶手段
７００  制御部
８００  印字合成部
【図１】
2006086646.tif 000003
【図２】
2006086646.tif 000004
【図３】
2006086646.tif 000005
【図４】
2006086646.tif 000006
【図５】
2006086646.tif 000007
【図６】
2006086646.tif 000008
【図７】
2006086646.tif 000009
【図８】
2006086646.tif 000010
【図９】
2006086646.tif 000011
【図１０】
2006086646.tif 000012
【図１１】
2006086646.tif 000013
【図１２】
2006086646.tif 000014